(57)【要約】      （修正有）【課題】ハウジングに固定する前にレンズの性能を調整することができる簡易な機構を備えた屈曲光学ユニットを提供する。【解決手段】ハウジング１００への固定前においてはガイド軸１７の一端Ｆを固定的に支持するとともに、他端Ｐを移動自在に支持する。そのガイド軸１７を、ガイド軸１７に支持された複数のレンズ群１２〜１４とともに操作片１３２を操作することにより支持端Ｆを基準としていずれかの方向に偏芯させることにより、ガイド軸１７の向きと第２の光軸ＯＰ２の向きを一致させる様にしてレンズの性能を調整する。【選択図】図２
2007199408.tif 000002
【特許請求の範囲】
【請求項１】
前方に向かう第１の光軸に沿って入射してきた被写体光を該第１の光軸と交わる第２の光軸に沿う方向に反射する反射光学素子を含む複数のレンズ群を備え、該第２の光軸に沿って進んできた被写体光を所定の結像面に結像させる屈曲光学ユニットにおいて、
前記複数のレンズ群を内蔵するハウジングと、
前記第２の光軸に平行に延び、前記ハウジングへの固定前においては、一端が、他端の移動が自在になるように前記ハウジングに支持されるとともに、前記複数のレンズ群のうちの一部の複数のレンズ群を支持するガイド軸と、
前記ガイド軸を、前記ガイド軸に支持された複数のレンズ群とともに、該ガイド軸の、前記ハウジングに支持された一端を中心に偏芯させるための、前記ハウジングから突出した操作片とを備えたことを特徴とする屈曲光学ユニット。
【請求項２】
前記ガイド軸に支持された複数のレンズ群それぞれを保持するとともに前記ガイド軸に支持された複数のレンズホルダを備え、
前記操作片が、前記複数レンズホルダのうちの１つのレンズホルダの一部分として形成されたものであることを特徴とする請求項１記載の屈曲光学ユニット。
【請求項３】
前記ハウジングに取り囲まれた複数のレンズ群が、被写体側から前記結像面側に向かって順に、前記屈曲光学素子を含む第１のレンズ群、第２のレンズ群、第３のレンズ群および第４のレンズ群からなり、前記第２のレンズ群、前記第３のレンズ群、および前記第４のレンズ群が前記ガイド軸に支持されたものであることを特徴とする請求項１又は２記載の屈曲光学ユニット。
【発明の詳細な説明】
【技術分野】
【０００１】
本発明は、前方に向かう第１の光軸に沿って入射してきた被写体光をその第１の光軸と交わる第２の光軸に沿う方向に反射する反射光学素子を含む複数のレンズ群を備え、その第２の光軸に沿って進んできた被写体光を所定の結像面上に結像させる屈曲光学ユニットに関する。
【背景技術】
【０００２】
撮影装置には、前方に向かう第１の光軸に沿って入射してきた被写体光を第１の光軸と直交する方向に延びる第２の光軸に沿う方向に反射して撮像素子上に結像させる屈曲光学系を備えたものがある。この屈曲光学系を用いるとカメラボディの薄型化を図ることができる。
【０００３】
この屈曲光学系の最大のメリットを引き出して薄型化を達成するためには、第１の光軸を持つ光学部材の数をなるべく減らして、できるだけ光学反射素子例えばプリズムの出射面側にズームレンズのような光軸方向に移動させる必要のあるレンズ群を配置することが好ましい（例えば特許文献１参照）。そうすると第１の光軸に移動させる必要のあるズームレンズを配設する必要がなくなり、屈曲光学系を使うメリットが最大限に引き出される。
【０００４】
また、どの程度のズーム倍率にするかを予め決めておいてそのズームレンズ倍率を達成するズームレンズの移動範囲から高さ方向の寸法を定めその寸法内にズームレンズおよび駆動部を詰め込むようにすると、薄型化に加えて高さ方向の縮小化を図ることもできる。
【０００５】
図１は、薄型化に加えて縮小化が図られた屈曲光学ユニットの一例を示す図である。
【０００６】
図１（ａ）には、屈曲光学ユニット１０を正面方向から見た図が示されており、図１（ｂ）にはその屈曲光学ユニット１０をＡ−Ａ方向から見た矢視図がそれぞれ示されている。この図１には前方に向かう第１の光軸ＯＰ１に沿って入射してきた被写体光をその第１の光軸ＯＰ１と交わる第２の光軸ＯＰ２に沿う方向に反射する反射光学素子であるプリズム１１１を含む４つのレンズ群１１〜１４を備えた屈曲光学系が示されている。
この例においては薄型化を図るために第１の光軸ＯＰ１側に第１レンズ群の中の対物レンズ１１０のみを配備してプリズム１１１以降にプリズム１１１を含む第１レンズ群の残りのレンズ１１２と第２レンズ群１２から第４レンズ群１４までを配備する様にしている。      
【０００７】
また高さ寸法の縮小化を図るために第２群レンズ１２を第２の光軸方向に沿って移動させるためのリードスクリューＬＳ１とモータＭ１とからなる第１のズーム駆動部ＺＭ１と、第４レンズ群１４を第２の光軸に沿って移動させるためのリードスクリューＬＳ２とモータＭ２とからなる第２のズーム駆動部ＺＭ２を高さ寸法内に高密度に実装する様にしている。
【０００８】
まず、図１を参照して被写体光が図１の下方に示されている撮像素子１５までどのようにして導かれるかを簡単に説明する。
【０００９】
まず、第１レンズ群１１のうちの対物レンズ１１０を経由して入射してきた被写体光がプリズム１１１で第１の光軸ＯＰ１と直交する第２の光軸ＯＰ２側に反射される。さらに、第２の光軸ＯＰ２側に反射された被写体光が第１レンズ群１１の残りのレンズ１１２、さらに第２レンズ群１２、第３レンズ群１３、さらには第４レンズ群１４を通って撮像素子１５にまで達する。この例では、４つのレンズ群１１〜１４のうちの第２レンズ群１２と第４レンズ群１４とがズームレンズに該当する。
【００１０】
図１には、そのズームレンズを構成する第２レンズ群１２と第４レンズ群１４が、第１、第２ズーム駆動部ＺＭ１、ＺＭ２によって駆動されて望遠に対応する位置にそれぞれ配置された状態が示されている。
【００１１】
上記したように所定のズーム倍率を達成するズームレンズの移動範囲から高さ寸法を定めその高さ寸法内に第２レンズ群１２および第４レンズ群１４、さらにそれらを駆動する駆動部ＺＭ１，ＺＭ２を詰め込むようにしているため、図１の望遠位置においては第３レンズ群１３の配設位置ぎりぎりの位置に第２レンズ群１２と第４レンズ群１４が配置され、広角位置においては点線で示す様にカメラボディの高さ寸法ぎりぎりの位置に第２レンズ群１２と第４レンズ群１４が配置されるようになっている。このようにするとボディ内に高密度に組み付けられるようになる。
【００１２】
また図１に示す例においては、このように高密度に屈曲光学系をハウジング１００に組み付けるにあたって、特願２００５−２５３２８８号の技術等を用いてプリズムを含む第１レンズ群をハウジングに組み付けて第１の光軸の直線性を出すとともに、特許文献２の技術や特願２００５−２７６４９０号等の技術を用いて第２レンズ群から第４レンズまでを一本のガイド軸に組み付けて第２の光軸の直線性を出すようにしてからユニット全体を組み上げるようにしている。このようにすると第１の光軸、第２の光軸とも高い精度が得られるようになる。
【００１３】
しかし、ユニット全体を組み上げた後、ガイド軸及びレンズ枠の製造公差等によってレンズの光軸ずれ、レンズの倒れが発生し、光学性能が損なわれてしまうことがある。
【特許文献１】特開２００５−３７４９０号公報
【特許文献２】特開平５−１８８２５９号公報
【発明の開示】
【発明が解決しようとする課題】
【００１４】
本発明は、上記事情に鑑み、ハウジングに固定する前にレンズの性能を調整することができる簡易な機構を備えた屈曲光学ユニットを提供することを目的とする。
【課題を解決するための手段】
【００１５】
上記目的を達成する本発明の屈曲光学ユニットは、前方に向かう第１の光軸に沿って入射してきた被写体光をその第１の光軸と交わる第２の光軸に沿う方向に反射する反射光学素子を含む複数のレンズ群を備え、その第２の光軸に沿って進んできた被写体光を所定の結像面に結像させる屈曲光学ユニットにおいて、
上記複数のレンズ群を内蔵するハウジングと、
上記第２の光軸に平行に延び、上記ハウジングへの固定前においては一端が、他端の移動が自在になるように上記ハウジングに支持されるとともに、上記複数のレンズ群のうちの一部の複数のレンズ群を支持するガイド軸と、
上記ガイド軸を、上記ガイド軸に支持された複数のレンズ群とともに、そのガイド軸の、前記ハウジングに支持された一端を中心に偏芯させるための、上記ハウジングから突出した操作片とを備えたことを特徴とする。
【００１６】
上記本発明の屈曲光学ユニットによれば、上記ハウジングに上記ガイド軸を固定する前に、そのガイド軸を、上記操作片を操作することにより上記一端を中心に偏芯させることによってレンズの性能を調整することができる。上記ガイド軸には第２の光軸側の複数のレンズ群が保持されているので、固定前に上記ガイド軸を偏芯させることによってそれらのレンズの性能が調整される。こうして操作片を操作することにより所定のレンズの性能が得られたら偏芯の具合が調整されたガイド軸をハウジングに固定すれば良い。
【００１７】
以上説明した様に、ハウジングに固定する前にレンズの性能を調整することができる簡易な機構を備えた屈曲光学ユニットが実現する。
【００１８】
ここで、上記ガイド軸に支持された複数のレンズ群それぞれを保持するとともに上記ガイド軸に支持された複数のレンズホルダを備え、
上記操作片が、上記複数レンズホルダのうちの１つのレンズホルダの一部分として形成されたものであることが好ましい。
【００１９】
そうすると、わざわざ新たに操作片を設けることをしなくても良くなる。上記レンズホルダに上記ハウジングから突出するような操作片を形成するのは容易であり、ハウジングにその操作片を突出させるための開口を設けるのも容易である。
当然の事ながら本発明は、図１に示す様な上記ハウジングに取り囲まれた複数のレンズ群が、被写体側から上記結像面側に向かって順に、上記屈曲光学素子を含む第１のレンズ群、第２のレンズ群、第３のレンズ群および第４のレンズ群からなり、上記第２のレンズ群、上記第３のレンズ群、および上記第４のレンズ群が上記ガイド軸に支持されたものにも好適に適用される。
【発明の効果】
【００２０】
以上、説明したように、ハウジングに固定する前にレンズの性能を調整することができる簡易な機構を備えた屈曲光学ユニットが実現する。
【発明を実施するための最良の形態】
【００２１】
以下、本発明の実施の形態について説明する。
【００２２】
図２は、本発明の一実施形態である屈曲光学ユニットを示す図である。
【００２３】
図２（ａ）、図２（ｂ）には、図１（ａ）、図１（ｂ）と同様に屈曲光学ユニットの構成が示されていて、さらに図２（ｃ）には第３レンズ群を保持するレンズホルダの構成が示されている。
【００２４】
図２（ａ）に示す様に、第２レンズ群１２と第３レンズ群１３と第４レンズ群１４とを支持しているガイド軸１７の一端（符号Ｆで示す部分）が、他端（符合Ｐで示す部分）の移動が自在になるように支持されている。さらに第３レンズ群１３のレンズホルダ１３１にハウジングの開口を通って外部へと突出する操作片１３１Ａが設けられている。なおこの図２に示す各レンズ群１２〜１４は図１のものと同様のものであり、第２レンズ群１２と第４レンズ群１４とは光軸方向に移動自在にガイド軸１７に支持されており、また第３レンズ群１３はガイド軸１７に固定されている。
【００２５】
図２（ｃ）に示す操作片１３２は、レンズホルダ１３１に一体的に形成されていて、そのレンズホルダ１３１がガイド軸１７に固定されている。このため、操作片１３１Ａが操作されるとガイド軸１７の移動端Ｐが支持端Ｆを基準にして動いてガイド軸の偏芯の具合が調整される。そうするとガイド軸１７がハウジング１００に固定される前に、この操作により第２の光軸ＯＰ２（図１参照）とガイド軸１７との向きが一致する様にガイド軸の偏芯の具合が調整されて所定のレンズの性能が得られてからガイド軸がハウジングに接着等により固定されることになる。
【００２６】
上記操作片１３２を操作するにあたっては、ガイド軸１７が偏芯していると撮像素子１５に結像される像が片ボケになったり、結像位置が上下左右にずれたりすることを利用して撮像素子１５上にきちんと像が結像されるようになるように操作片１３２を用いてガイド軸の偏芯の具合が調整される。このときには、撮像素子上に結像された像を表示画面上に表示することができる様に、例えば本出願人が先に出願した特願２００４−２７６４８９号に記載されているような調整治具を用いると、ガイド軸１７の偏芯の具合を調整することによってレンズの性能の調整が精度良く行なわれるようになる。
【００２７】
こうしてレンズの性能が所定の性能になる様に調整されたら、図２（ｃ）に示す操作片１３２ＯＰ（符号Ｂで示す部分）をハウジング１００に接着等により固定すれば良い。
【００２８】
以上説明したように、ハウジングに固定する前にレンズの性能を調整することができる機構を備えた屈曲光学ユニットが実現する。
【図面の簡単な説明】
【００２９】
【図１】従来の屈曲光学ユニットの一例を示す図である。
【図２】本発明の一実施形態である屈曲光学ユニットを示す図である。
【符号の説明】
【００３０】
１  １０    屈曲光学ユニット  
１１      第１レンズ群
１１０    対物レンズ
１１１    プリズム
１１２    レンズ
１２      第２レンズ群
１３      第３レンズ群
１３１    レンズホルダ
１３１Ａ    操作片
１４      第４レンズ群
１５      撮像素子
１００    ハウジング
ＯＰ１    第１の光軸
ＯＰ２    第２の光軸
【図１】
2007199408.tif 000003
【図２】
2007199408.tif 000004